(57)【要約】  本願の実施例はＬＣＧのＢＳＲの報告を実現することのできる情報伝送方法及び装置を提供し、該方法は、端末装置が複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定し、前記第１ＬＣＧ集合が少なくとも１つのＬＣＧを含むことと、前記端末装置が前記ターゲットＢＳＲフォーマットで前記第１ＬＣＧ集合内の一部又は全部のＬＣＧのＢＳＲを報告することと、を含む。
2021500775.tif 000002
【特許請求の範囲】
【請求項１】
情報伝送方法であって、
端末装置が、複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定し、前記第１ＬＣＧ集合が少なくとも１つのＬＣＧを含むことと、
前記端末装置が、前記ターゲットＢＳＲフォーマットで前記第１ＬＣＧ集合内の一部又は全部のＬＣＧのＢＳＲを報告することと、を含むことを特徴とする、前記情報伝送方法。
【請求項２】
前記端末装置が複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定することは、
前記端末装置が、ＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することを含むことを特徴とする
請求項１に記載の方法。
【請求項３】
前記少なくとも３つのＢＳＲフォーマットは、
ショートＢＳＲフォーマット、短縮ＢＳＲフォーマット及びフレキシブル長ＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが１個目の数範囲内のＬＣＧのＢＳＲを報告することに用いられ、前記１個目の数範囲の下限が１であることを特徴とする
請求項２に記載の方法。
【請求項４】
前記１個目の数範囲の上限が８であることを特徴とする
請求項３に記載の方法。
【請求項５】
前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式が通常ＢＳＲ又は定期的ＢＳＲであり、しかも前記第１ＬＣＧ集合に含まれるＬＣＧの個数が１より大きい場合、前記端末装置が、前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が１である場合、前記端末装置が、前記ターゲットＢＳＲフォーマットをショートＢＳＲフォーマットとして決定することを含むことを特徴とする
請求項３又は４に記載の方法。
【請求項６】
前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式がパディングＢＳＲである場合、前記端末装置が、前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することを含むことを特徴とする
請求項３又は４に記載の方法。
【請求項７】
前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することは、
前記端末装置が、前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することを含むことを特徴とする
請求項６に記載の方法。
【請求項８】
前記端末装置が前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することは、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記端末装置が、前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記端末装置が、前記ターゲットＢＳＲフォーマットを短縮ＢＳＲフォーマットとして決定し、又は
前記ＭＡＣ  ＰＤＵのパディングビットのサイズが前記第２リソースのサイズ以上である場合、前記端末装置が、前記ターゲットＢＳＲフォーマットをフレキシブル長ＢＳＲフォーマットとして決定することを含むことを特徴とする
請求項７に記載の方法。
【請求項９】
前記端末装置が前記ターゲットＢＳＲフォーマットで前記第１ＬＣＧ集合内の一部又は全部のＬＣＧのＢＳＲを報告することは、
前記ターゲットＢＳＲフォーマットを短縮ＢＳＲフォーマットとして決定した場合、前記端末装置が、優先度の高い論理チャネルに対応するＬＣＧのＢＳＲを優先的に報告することを含むことを特徴とする
請求項５又は８に記載の方法。
【請求項１０】
前記少なくとも３つのＢＳＲフォーマットは、
ショートＢＳＲフォーマット、短縮ＢＳＲフォーマット、フレキシブル長ＢＳＲフォーマット及びロングＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが２個目の数範囲内のＬＣＧのＢＳＲを報告することに用いられ、前記２個目の数範囲の下限が１より大きく、前記２個目の数範囲の上限が第１値より小さく、前記ロングＢＳＲフォーマットで報告できるＢＳＲの個数が前記第１値であることを特徴とする
請求項１に記載の方法。
【請求項１１】
前記第１値が８であり、前記２個目の数範囲の下限が２であり、前記第２フォーマット範囲の上限が７であることを特徴とする
請求項１０に記載の方法。
【請求項１２】
前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式が通常ＢＳＲ又は定期的ＢＳＲであり、しかも前記第１ＬＣＧ集合に含まれるＬＣＧの個数が１である場合、前記端末装置が、前記ターゲットＢＳＲフォーマットをショートＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記１個目の数範囲に属する場合、前記端末装置が、前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記第１値である場合、前記端末装置が、前記ターゲットＢＳＲフォーマットをロングＢＳＲフォーマットとして決定することを含むことを特徴とする
請求項１０又は１１に記載の方法。
【請求項１３】
前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式がパディングＢＳＲである場合、前記端末装置が、前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することを含むことを特徴とする
請求項１０又は１１に記載の方法。
【請求項１４】
前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することは、
前記端末装置が、前記第１ＬＣＧ集合に含まれるＬＣＧの個数及び前記アップリンク許可リソースにおけるＭＡＣ  ＰＤＵのパディングビットのサイズに基づき、前記少なくとも３つのＢＳＲフォーマットから前記ターゲットＢＳＲフォーマットを決定することを含むことを特徴とする
請求項１３に記載の方法。
【請求項１５】
前記端末装置が前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することは、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記端末装置が、前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記端末装置が、前記ターゲットＢＳＲフォーマットを短縮ＢＳＲフォーマットとして決定し、又は
前記ＭＡＣ  ＰＤＵのパディングビットのサイズがフレキシブル長ＢＳＲフォーマットでＢＳＲを報告するために必要とする第２リソースのサイズ以上であり、しかも前記第１ＬＣＧ集合に含まれるＬＣＧの個数が前記２個目の数範囲に属する場合、前記端末装置が、前記ターゲットＢＳＲフォーマットをフレキシブル長ＢＳＲフォーマットとして決定し、又は
前記ＭＡＣ  ＰＤＵのパディングビットのサイズがロングＢＳＲフォーマットでＢＳＲを報告するために必要とするリソースのサイズ以上であり、しかも前記第１ＬＣＧ集合に含まれるＬＣＧの個数が前記第１値である場合、前記端末装置が、前記ターゲットＢＳＲフォーマットをロングＢＳＲフォーマットとして決定することを含むことを特徴とする
請求項１４に記載の方法。
【請求項１６】
前記端末装置が前記ターゲットＢＳＲフォーマットで前記第１ＬＣＧ集合内の一部又は全部のＬＣＧのＢＳＲを報告することは、
前記ターゲットＢＳＲフォーマットを短縮ＢＳＲフォーマットとして決定し、且つ前記第１ＬＣＧ集合に含まれるＬＣＧの個数が１より大きい場合、前記端末装置が優先度の高い論理チャネルに対応するＬＣＧのＢＳＲを優先的に報告することを含むことを特徴とする
請求項１２又は１５に記載の方法。
【請求項１７】
情報伝送装置であって、
複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定するように構成され、前記第１ＬＣＧ集合が少なくとも１つのＬＣＧを含む決定モジュールと、
前記ターゲットＢＳＲフォーマットで前記第１ＬＣＧ集合内の一部又は全部のＬＣＧのＢＳＲを報告するように構成される通信モジュールと、を備えることを特徴とする、前記情報伝送装置。
【請求項１８】
前記決定モジュールは、具体的に、
ＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定するように構成されることを特徴とする
請求項１７に記載の装置。
【請求項１９】
前記少なくとも３つのＢＳＲフォーマットは、
ショートＢＳＲフォーマット、短縮ＢＳＲフォーマット及びフレキシブル長ＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが１個目の数範囲内のＬＣＧのＢＳＲを報告することに用いられ、前記１個目の数範囲の下限が１であることを特徴とする
請求項１８に記載の装置。
【請求項２０】
前記１個目の数範囲の上限が８であることを特徴とする
請求項１９に記載の装置。
【請求項２１】
前記決定モジュールは、更に、
ＢＳＲのトリガー方式が通常ＢＳＲ又は定期的ＢＳＲであり、しかも前記第１ＬＣＧ集合に含まれるＬＣＧの個数が１より大きい場合、前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が１である場合、前記ターゲットＢＳＲフォーマットをショートＢＳＲフォーマットとして決定するように構成されることを特徴とする
請求項１９又は２０に記載の装置。
【請求項２２】
前記決定モジュールは、更に、
ＢＳＲのトリガー方式がパディングＢＳＲである場合、前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定するように構成されることを特徴とする
請求項１９又は２０に記載の装置。
【請求項２３】
前記決定モジュールは、具体的に、
前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定するように構成されることを特徴とする
請求項２２に記載の装置。
【請求項２４】
前記決定モジュールは、具体的に、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記ターゲットＢＳＲフォーマットを短縮ＢＳＲフォーマットとして決定し、又は
前記ＭＡＣ  ＰＤＵのパディングビットのサイズが前記第２リソースのサイズ以上である場合、前記ターゲットＢＳＲフォーマットをフレキシブル長ＢＳＲフォーマットとして決定するように構成されることを特徴とする
請求項２３に記載の装置。
【請求項２５】
前記通信モジュールは、具体的に、
前記ターゲットＢＳＲフォーマットを短縮ＢＳＲフォーマットとして決定した場合、優先度の高い論理チャネルに対応するＬＣＧのＢＳＲを優先的に報告するように構成されることを特徴とする
請求項２１又は２４に記載の装置。
【請求項２６】
前記少なくとも３つのＢＳＲフォーマットは、
ショートＢＳＲフォーマット、短縮ＢＳＲフォーマット、フレキシブル長ＢＳＲフォーマット及びロングＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが２個目の数範囲内のＬＣＧのＢＳＲを報告することに用いられ、前記２個目の数範囲の下限が１より大きく、前記２個目の数範囲の上限が第１値より小さく、前記ロングＢＳＲフォーマットで報告できるＢＳＲの個数が前記第１値であることを特徴とする
請求項１７に記載の装置。
【請求項２７】
前記第１値が８であり、前記２個目の数範囲の下限が２であり、前記第２フォーマット範囲の上限が７であることを特徴とする
請求項２６に記載の装置。
【請求項２８】
前記決定モジュールは、更に、
ＢＳＲのトリガー方式が通常ＢＳＲ又は定期的ＢＳＲであり、しかも前記第１ＬＣＧ集合に含まれるＬＣＧの個数が１である場合、前記ターゲットＢＳＲフォーマットをショートＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記１個目の数範囲に属する場合、前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記第１値である場合、前記端末装置が前記ターゲットＢＳＲフォーマットをロングＢＳＲフォーマットとして決定するように構成されることを特徴とする
請求項２６又は２７に記載の装置。
【請求項２９】
前記決定モジュールは、更に、
ＢＳＲのトリガー方式がパディングＢＳＲである場合、前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定するように構成されることを特徴とする
請求項２６又は２７に記載の装置。
【請求項３０】
前記決定モジュールは、具体的に、
前記第１ＬＣＧ集合に含まれるＬＣＧの個数及び前記アップリンク許可リソースにおけるＭＡＣ  ＰＤＵのパディングビットのサイズに基づき、前記少なくとも３つのＢＳＲフォーマットから前記ターゲットＢＳＲフォーマットを決定するように構成されることを特徴とする
請求項２９に記載の装置。
【請求項３１】
前記決定モジュールは、具体的に、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記ターゲットＢＳＲフォーマットを短縮ＢＳＲフォーマットとして決定し、又は
前記ＭＡＣ  ＰＤＵのパディングビットのサイズがフレキシブル長ＢＳＲフォーマットでＢＳＲを報告するために必要とする第２リソースのサイズ以上であり、しかも前記第１ＬＣＧ集合に含まれるＬＣＧの個数が前記２個目の数範囲に属する場合、前記ターゲットＢＳＲフォーマットをフレキシブル長ＢＳＲフォーマットとして決定し、又は
前記ＭＡＣ  ＰＤＵのパディングビットのサイズがロングＢＳＲフォーマットでＢＳＲを報告するために必要とするリソースのサイズ以上であり、しかも前記第１ＬＣＧ集合に含まれるＬＣＧの個数が前記第１値である場合、前記ターゲットＢＳＲフォーマットをロングＢＳＲフォーマットとして決定するように構成されることを特徴とする
請求項３０に記載の装置。
【請求項３２】
前記通信モジュールは、具体的に、
前記ターゲットＢＳＲフォーマットを短縮ＢＳＲフォーマットとして決定し、且つ前記第１ＬＣＧ集合に含まれるＬＣＧの個数が１より大きい場合、優先度の高い論理チャネルに対応するＬＣＧのＢＳＲを優先的に報告するように構成されることを特徴とする
請求項２８又は３１に記載の装置。
【発明の詳細な説明】
【技術分野】
【０００１】
本願は通信分野に関し、且つより具体的に、情報伝送方法及び装置に関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）についての検討において、バッファ状態報告（ＢＳＲ：Ｂｕｆｆｅｒ  Ｓｔａｔｕｓ  Ｒｅｐｏｒｔｓ）フォーマットについては、以下の２つのケースがある。
【０００３】
ケース１では、３つのＢＳＲフォーマット、すなわちショート（ｓｈｏｒｔ）ＢＳＲフォーマット、短縮（ｔｒｕｎｃａｔｅｄ）ＢＳＲフォーマット及びフレキシブル長（ｆｌｅｘｉｂｌｅ  ｌｏｎｇ）ＢＳＲフォーマットを含み、ｓｈｏｒｔ  ＢＳＲが１バイト（ｂｙｔｅ）を占め、ｔｒｕｎｃａｔｅｄ  ＢＳＲが１以上のｂｙｔｅを占め、ｆｌｅｘｉｂｌｅ  ｌｏｎｇ  ＢＳＲが１つ乃至８つの論理チャネルグループ（ＬＣＧ：Ｌｏｇｉｃａｌ  Ｃｈａｎｎｅｌ  Ｇｒｏｕｐ）のＢＳＲの報告をサポートする。
【０００４】
ケース２では、４つのＢＳＲフォーマット、すなわちｓｈｏｒｔ  ＢＳＲフォーマット、ｔｒｕｎｃａｔｅｄ  ＢＳＲフォーマット、ｆｌｅｘｉｂｌｅ  ＢＳＲフォーマット及びロング（ｌｏｎｇ）ＢＳＲフォーマットを含み、ｓｈｏｒｔ  ＢＳＲが１バイト（ｂｙｔｅ）を占め、ｔｒｕｎｃａｔｅｄ  ＢＳＲが１以上のｂｙｔｅを占め、ｆｌｅｘｉｂｌｅ  ＢＳＲが２つ乃至７つのＬＣＧのＢＳＲの報告をサポートし、ｌｏｎｇ  ＢＳＲがすべてのＬＣＧのＢＳＲの報告をサポートする。
【０００５】
従って、新たなＢＳＲフォーマットに基づき、どのようにＬＣＧのＢＳＲの報告を実現するかは早急な解決の待たれる問題である。
【発明の概要】
【発明が解決しようとする課題】
【０００６】
本願の実施例は論理チャネルグループのＢＳＲの報告を実現することのできる情報伝送方法及び装置を提供する。
【課題を解決するための手段】
【０００７】
第１態様に係る情報伝送方法であって、
端末装置が複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定し、前記第１ＬＣＧ集合が少なくとも１つのＬＣＧを含むことと、
前記端末装置が前記ターゲットＢＳＲフォーマットで前記第１ＬＣＧ集合内の一部又は全部のＬＣＧのＢＳＲを報告することと、を含む。
【０００８】
従って、本願の実施例の情報伝送方法によれば、前記端末装置は伝送待ちデータが存在する第１ＬＣＧ集合に基づくことができ、従って、ＢＳＲの報告方式を柔軟に調整することができる。
【０００９】
第１態様を参照して、第１態様のいくつかの実現方式では、前記端末装置が複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定することは、
前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することを含む。
【００１０】
第１態様を参照して、第１態様のいくつかの実現方式では、前記少なくとも３つのＢＳＲフォーマットは、
ショートＢＳＲフォーマット、短縮ＢＳＲフォーマット及びフレキシブル長ＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが１個目の数範囲内のＬＣＧのＢＳＲを報告することに用いられ、前記１個目の数範囲の下限が１である。
【００１１】
第１態様を参照して、第１態様のいくつかの実現方式では、前記１個目の数範囲の上限が８である。
【００１２】
第１態様を参照して、第１態様のいくつかの実現方式では、前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式が通常ＢＳＲ又は定期的ＢＳＲであり、しかも前記第１ＬＣＧ集合に含まれるＬＣＧの個数が１より大きい場合、前記端末装置が前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が１である場合、前記端末装置が前記ターゲットＢＳＲフォーマットをショートＢＳＲフォーマットとして決定することを含む。
【００１３】
第１態様を参照して、第１態様のいくつかの実現方式では、前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式がパディングＢＳＲである場合、前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することを含む。
【００１４】
従って、本願の実施例の情報伝送方法によれば、前記端末装置は伝送待ちデータが存在する第１ＬＣＧ集合及びアップリンク許可リソースのサイズに基づき、前記ターゲットＢＳＲフォーマットを決定することができ、リソース利用率の向上に役立つ。
【００１５】
第１態様を参照して、第１態様のいくつかの実現方式では、前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することは、
前記端末装置が前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することを含む。
【００１６】
第１態様を参照して、第１態様のいくつかの実現方式では、前記端末装置が前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することは、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記端末装置が前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記端末装置が前記ターゲットＢＳＲフォーマットを短縮ＢＳＲフォーマットとして決定し、又は
前記ＭＡＣ  ＰＤＵのパディングビットのサイズが前記第２リソースのサイズ以上である場合、前記端末装置が前記ターゲットＢＳＲフォーマットをフレキシブル長ＢＳＲフォーマットとして決定することを含む。
【００１７】
従って、本願の実施例の情報伝送方法によれば、前記端末装置は第１論理チャネルグループ集合及びパディングビットのサイズに基づき、どのＢＳＲフォーマットを用いるかを決定することができ、従って、ＭＡＣ  ＰＤＵのパディングビットのサイズを最大限に利用することができ、リソース利用率の向上に役立つ。
【００１８】
第１態様を参照して、第１態様のいくつかの実現方式では、前記端末装置が前記ターゲットＢＳＲフォーマットで前記第１ＬＣＧ集合内の一部又は全部のＬＣＧのＢＳＲを報告することは、
前記ターゲットＢＳＲフォーマットを短縮ＢＳＲフォーマットとして決定した場合、前記端末装置が優先度の高い論理チャネルに対応するＬＣＧのＢＳＲを優先的に報告することを含む。
【００１９】
第１態様を参照して、第１態様のいくつかの実現方式では、前記少なくとも３つのＢＳＲフォーマットは、
ショートＢＳＲフォーマット、短縮ＢＳＲフォーマット、フレキシブル長ＢＳＲフォーマット及びロングＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが２個目の数範囲内のＬＣＧのＢＳＲを報告することに用いられ、前記２個目の数範囲の下限が１より大きく、前記２個目の数範囲の上限が第１値より小さく、前記ロングＢＳＲフォーマットで報告できるＢＳＲの個数が前記第１値である。
【００２０】
第１態様を参照して、第１態様のいくつかの実現方式では、前記第１値が８であり、前記２個目の数範囲の下限が２であり、前記第２フォーマット範囲の上限が７である。
【００２１】
第１態様を参照して、第１態様のいくつかの実現方式では、前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式が通常ＢＳＲ又は定期的ＢＳＲであり、しかも前記第１ＬＣＧ集合に含まれるＬＣＧの個数が１である場合、前記端末装置が前記ターゲットＢＳＲフォーマットをショートＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記１個目の数範囲に属する場合、前記端末装置が前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記第１値である場合、前記端末装置が前記ターゲットＢＳＲフォーマットをロングＢＳＲフォーマットとして決定することを含む。
【００２２】
第１態様を参照して、第１態様のいくつかの実現方式では、前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式がパディングＢＳＲである場合、前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することを含む。
【００２３】
従って、本願の実施例の情報伝送方法によれば、前記端末装置は伝送待ちデータが存在する第１ＬＣＧ集合及びアップリンク許可リソースのサイズに基づき、前記ターゲットＢＳＲフォーマットを決定することができ、リソース利用率の向上に役立つ。
【００２４】
第１態様を参照して、第１態様のいくつかの実現方式では、前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することは、
前記端末装置が前記第１ＬＣＧ集合に含まれるＬＣＧの個数及び前記アップリンク許可リソースにおけるＭＡＣ  ＰＤＵのパディングビットのサイズに基づき、前記少なくとも３つのＢＳＲフォーマットから前記ターゲットＢＳＲフォーマットを決定することを含む。
【００２５】
第１態様を参照して、第１態様のいくつかの実現方式では、前記端末装置が前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することは、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記端末装置が前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記端末装置が前記ターゲットＢＳＲフォーマットを短縮ＢＳＲフォーマットとして決定し、又は
前記ＭＡＣ  ＰＤＵのパディングビットのサイズがフレキシブル長ＢＳＲフォーマットでＢＳＲを報告するために必要とする第２リソースのサイズ以上であり、しかも前記第１ＬＣＧ集合に含まれるＬＣＧの個数が前記２個目の数範囲に属する場合、前記端末装置が前記ターゲットＢＳＲフォーマットをフレキシブル長ＢＳＲフォーマットとして決定し、又は
前記ＭＡＣ  ＰＤＵのパディングビットのサイズがロングＢＳＲフォーマットでＢＳＲを報告するために必要とするリソースのサイズ以上であり、しかも前記第１ＬＣＧ集合に含まれるＬＣＧの個数が前記第１値である場合、前記端末装置が前記ターゲットＢＳＲフォーマットをロングＢＳＲフォーマットとして決定することを含む。
【００２６】
従って、本願の実施例の情報伝送方法によれば、前記端末装置は第１論理チャネルグループ集合及びパディングビットのサイズに基づき、どのＢＳＲフォーマットを用いるかを決定することができ、従って、ＭＡＣ  ＰＤＵのパディングビットのサイズを最大限に利用することができ、リソース利用率の向上に役立つ。
【００２７】
第１態様を参照して、第１態様のいくつかの実現方式では、前記端末装置が前記ターゲットＢＳＲフォーマットで前記第１ＬＣＧ集合内の一部又は全部のＬＣＧのＢＳＲを報告することは、
前記ターゲットＢＳＲフォーマットを短縮ＢＳＲフォーマットとして決定し、且つ前記第１ＬＣＧ集合に含まれるＬＣＧの個数が１より大きい場合、前記端末装置が優先度の高い論理チャネルに対応するＬＣＧのＢＳＲを優先的に報告することを含む。
【００２８】
第２態様に係る情報伝送装置であって、第１態様又は第１態様のいずれか１つの可能な実現方式における方法を実行するように構成されるユニットを備える。
【００２９】
第３態様に係る情報伝送装置であって、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機によって第１態様における方法を実行する。
【００３０】
第４態様に係るコンピュータ可読媒体であって、前記コンピュータ可読媒体には端末装置の実行するプログラムコードが記憶され、前記プログラムコードは第１態様又はその様々な実現方式における方法を実行するための命令を含む。
【００３１】
第５態様に係る命令を含むコンピュータプログラム製品であって、コンピュータにおいて実行されるとき、コンピュータは上記第１態様又は第１態様のいずれか１つの可能な実現方式における方法を実行する。
【図面の簡単な説明】
【００３２】
【図１】図１は本願の実施例に係る無線通信システムの模式図である。
【図２】図２は本願の実施例に係る情報伝送方法のフローチャートである。
【図３】図３は本願の実施例に係る情報伝送装置のブロック図である。
【図４】図４は本願の他の実施例に係る情報伝送装置のブロック図である。
【発明を実施するための形態】
【００３３】
以下、図面を参照しながら本願の実施例の技術案を説明する。
【００３４】
理解すべきこととして、本発明の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、進化型ロングタームエボリューション（ＬＴＥ−Ａ：Ａｄｖａｎｃｅｄ  ｌｏｎｇ  ｔｅｒｍ  ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇ等に適用されてもよい。
【００３５】
図１には本発明の実施例に適用される無線通信システム１００を示す。該無線通信システム１００は少なくとも１つのネットワーク装置、例えば、図１に示される第１ネットワーク装置１１０及び第２ネットワーク装置１２０を備えてもよい。第１ネットワーク装置１１０及び第２ネットワーク装置１２０はいずれも無線インターフェースを介して端末装置１３０と通信することができる。第１ネットワーク装置１１０及び第２ネットワーク装置１２０は特定の地理的領域に通信カバレッジを提供することができ、且つ該カバレッジ領域内の端末装置と通信することができる。該第１ネットワーク装置１１０又は第２ネットワーク装置１２０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又は、将来の５Ｇネットワークにおけるネットワーク装置、例えば送受信ポイント（ＴＲＰ：Ｔｒａｎｓｍｉｓｓｉｏｎ  Ｒｅｃｅｐｔｉｏｎ  Ｐｏｉｎｔ）、基地局、小型基地局装置等であってもよく、本発明の実施例は特にこれを制限しない。
【００３６】
該無線通信システム１００は更に第１ネットワーク装置１１０及び第２ネットワーク装置１２０のカバレッジ範囲内にある１つ又は複数の端末装置（ＵＥ：Ｕｓｅｒ  Ｅｑｕｉｐｍｅｎｔ）１３０を備える。該端末装置１３０は可動又は固定であってもよい。端末装置１３０は無線アクセスネットワーク（ＲＡＮ：Ｒａｄｉｏ  Ａｃｃｅｓｓ  Ｎｅｔｗｏｒｋ）を介して１つ又は複数のコアネットワーク（Ｃｏｒｅ  Ｎｅｔｗｏｒｋ）と通信することができ、端末装置はアクセス端末、端末装置、ユーザー要素、加入者局、移動局、トラバーサー、遠隔局、遠隔端末、モバイルデバイス、ユーザー端末、端末、無線通信装置、ユーザーエージェント又はユーザーデバイスと称されてもよい。端末装置はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末及び将来の５Ｇネットワークにおける端末装置等であってもよい。
【００３７】
以上に説明されるように、ＮＲシステムにおいて、少なくとも３つのＢＳＲフォーマットをサポートする可能性があり、新たなＢＳＲフォーマットに基づき、どのようにＢＳＲの報告を実現するかは早急な解決の待たれる問題である。
【００３８】
これに鑑みて、本願の実施例は伝送待ちデータが存在するＬＣＧに基づいてＢＳＲの報告フォーマットを決定することのできる情報伝送方法を提供する。
【００３９】
図２は本願の実施例に係る情報伝送方法２００のフローチャートであり、前記方法２００は図１に示される無線通信システムにおける端末装置により実行されてもよく、図２に示すように、該方法２００は、
端末装置が複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定し、前記第１ＬＣＧ集合が少なくとも１つのＬＣＧを含むＳ２１０と、
前記端末装置が前記ターゲットＢＳＲフォーマットで前記第１ＬＣＧ集合内の一部又は全部のＬＣＧのＢＳＲを報告するＳ２２０と、を含む。
【００４０】
説明されるべきように、前記複数の論理チャネルグループの個数は最近のＮＲ検討において決定された８であってもよいし、それ以上であってもよいし、８未満、例えば４又は６等であってもよく、本願の実施例は複数の論理チャネルグループの個数を制限しない。
【００４１】
本願の実施例では、前記少なくとも３つのＢＳＲフォーマットは上記第１状況における言及した３つのＢＳＲフォーマット、すなわちｓｈｏｒｔ  ＢＳＲフォーマット、ｔｒｕｎｃａｔｅｄ  ＢＳＲフォーマット及びｆｌｅｘｉｂｌｅ  ｌｏｎｇ  ＢＳＲフォーマットを含んでもよい。又は、第２状況における言及した４つのフォーマット、すなわちｓｈｏｒｔ  ＢＳＲフォーマット、ｔｒｕｎｃａｔｅｄ  ＢＳＲフォーマット、ｆｌｅｘｉｂｌｅ  ＢＳＲフォーマット及びｌｏｎｇ  ＢＳＲフォーマットを含んでもよい。又は、前記少なくとも３つのフォーマットは、更に、２つの論理チャネルグループのＢＳＲを報告するためのＢＳＲフォーマット１、４つの論理チャネルグループのＢＳＲを報告するためのＢＳＲフォーマット２及び８つの論理チャネルグループのＢＳＲを報告するためのＢＳＲフォーマット３等を含んでもよく、本願の実施例はこれを具体的に制限しない。
【００４２】
好ましくは、一実施例として、Ｓ２１０は、
前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することを含んでもよい。
【００４３】
制限ではなく例として、本願の実施例では、ＢＳＲのトリガー方式は通常（ｒｅｇｕｌａｒ）ＢＳＲ、定期的（ｐｅｒｉｏｄｉｃ）ＢＳＲ及びパディング（ｐａｄｄｉｎｇ）ＢＳＲを含んでもよい。ｐａｄｄｉｎｇ  ＢＳＲは媒体アクセス制御（ＭＡＣ：Ｍｅｄｉａ  Ａｃｃｅｓｓ  Ｃｏｎｔｒｏｌ）プロトコルデータユニット（ＰＤＵ：Ｐｒｏｔｏｃｏｌ  Ｄａｔａ  Ｕｎｉｔ）のｐａｄｄｉｎｇ  ｂｉｔにより報告されるものである。
【００４４】
例えば、前記端末装置は、ＢＳＲのトリガー方式がｒｅｇｕｌａｒ  ＢＳＲ又はｐｅｒｉｏｄｉｃ  ＢＳＲである場合、伝送待ちデータが存在する第１ＬＣＧ集合に含まれるＬＣＧの個数に基づき、どのＢＳＲフォーマットで報告するかを決定し、又は、前記ＢＳＲのトリガー方式がｐａｄｄｉｎｇ  ＢＳＲである場合、更にｐａｄｄｉｎｇ  ｂｉｔのサイズと組み合わせてどのＢＳＲフォーマットで報告するかを決定してもよい。
【００４５】
以下、前記少なくとも３つのＢＳＲフォーマットが上記第１状況に含まれる３つのＢＳＲフォーマット又は第２状況に含まれる４つのＢＳＲフォーマットを含む場合を例として、前記端末装置がどのように前記ターゲットＢＳＲフォーマットを決定するかを詳しく説明する。
【００４６】
状況１
前記少なくとも３つのＢＳＲフォーマットはショートＢＳＲフォーマット、短縮ＢＳＲフォーマット及びフレキシブル長ＢＳＲフォーマットを含む。
【００４７】
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが１個目の数範囲内のＬＣＧのＢＳＲを報告することに用いられ、前記１個目の数範囲の下限が１である。
【００４８】
好ましくは、該実施例では、前記１個目の数範囲の上限が８であり、つまり前記ｆｌｅｘｉｂｌｅ  ｌｏｎｇ  ＢＳＲが１つ乃至８つのＬＣＧのＢＳＲを報告することに用いられてもよい。
【００４９】
好ましくは、一実施例として、Ｓ２１０は、
ＢＳＲのトリガー方式が通常ＢＳＲ又は定期的ＢＳＲであり、しかも前記第１ＬＣＧ集合に含まれるＬＣＧの個数が１より大きい場合、前記端末装置が前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が１である場合、前記端末装置が前記ターゲットＢＳＲフォーマットをショートＢＳＲフォーマットとして決定することを含んでもよい。
【００５０】
つまり、前記端末装置は、第１ＬＣＧ集合に含まれるＬＣＧの個数が１である場合、ｓｈｏｒｔ  ＢＳＲフォーマットを用いると決定し、第１ＬＣＧ集合に含まれるＬＣＧの個数が１より大きい場合、フレキシブル長ＢＳＲフォーマットすなわちｆｌｅｘｉｂｌｅ  ｌｏｎｇ  ＢＳＲフォーマットを用いると決定し、例えば、第１ＬＣＧ集合に含まれるＬＣＧの個数が２である場合、前記端末装置はｆｌｅｘｉｂｌｅ  ｌｏｎｇ  ＢＳＲフォーマットで２つのＬＣＧのＢＳＲを報告してもよく、又は、第１ＬＣＧ集合に含まれるＬＣＧの個数が８である場合、前記端末装置はｆｌｅｘｉｂｌｅ  ｌｏｎｇ  ＢＳＲフォーマットで８つのＬＣＧのＢＳＲを報告してもよい。
【００５１】
好ましくは、他の実施例として、Ｓ２１０は、
ＢＳＲのトリガー方式がパディングＢＳＲである場合、前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することを含んでもよい。
【００５２】
例えば、前記端末装置はアップリンク許可リソースのサイズが第１ＬＣＧ集合内の各ＬＣＧのＢＳＲを報告できる程度になる場合、前記ターゲットＢＳＲフォーマットで報告できるＬＣＧの個数が前記第１ＬＣＧ集合に含まれるＬＣＧの個数以上であると決定し、又は、前記アップリンク許可リソースのサイズが第１ＬＣＧ集合内の各ＬＣＧのＢＳＲを報告できる程度にならない場合、前記端末装置は前記第１ＬＣＧ集合内の一部のＬＣＧのＢＳＲのみを報告してもよい。
【００５３】
例えば、前記第１ＬＣＧ集合は３つのＬＣＧを含み、前記アップリンク許可リソースのサイズが４つのＬＣＧのＢＳＲを報告できる程度になる場合、前記端末装置はｆｌｅｘｉｂｌｅ  ｌｏｎｇ  ＢＳＲフォーマットで４つのＬＣＧのＢＳＲを報告すると決定してもよく、又は、前記アップリンク許可リソースのサイズが２つのみのＬＣＧのＢＳＲを伝送できる程度になる場合、前記端末装置はｔｒｕｎｃａｔｅｄ  ＢＳＲフォーマットで前記第１ＬＣＧ集合内の１つのＬＣＧのＢＳＲを報告すると決定してもよく、例えば、前記端末装置は優先度の高い論理チャネルに対応するＬＣＧのＢＳＲを報告してもよい。
【００５４】
従って、本願の実施例の情報伝送方法によれば、前記端末装置は伝送待ちデータが存在する第１ＬＣＧ集合及びアップリンク許可リソースのサイズに基づき、前記ターゲットＢＳＲフォーマットを決定することができ、リソース利用率の向上に役立つ。
【００５５】
１つの具体的な実施例では、前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することは、
前記端末装置が前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定してもよいことを含む。
【００５６】
例えば、前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記端末装置が前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記端末装置が前記ターゲットＢＳＲフォーマットを短縮ＢＳＲフォーマットとして決定し、又は
前記ＭＡＣ  ＰＤＵのパディングビットのサイズが前記第２リソースのサイズ以上である場合、前記端末装置が前記ターゲットＢＳＲフォーマットをフレキシブル長ＢＳＲフォーマットとして決定する。
【００５７】
例えば、前記第１ＬＣＧ集合に含まれるＬＣＧの個数が１であって、ｐａｄｄｉｎｇ  ｂｉｔのサイズがｓｈｏｒｔ  ＢＳＲフォーマットで報告するために必要とする第１リソースのサイズ以上である場合、前記端末装置はｓｈｏｒｔ  ＢＳＲフォーマットで報告すると決定してもよく、ここで、前記第１リソースはｓｈｏｒｔ  ＢＳＲフォーマット＋該ｓｈｏｒｔ  ＢＳＲフォーマットに対応するサブヘッダ（ｓｕｂｈｅａｄｅｒ）の占有したリソースである。
【００５８】
又は、ｐａｄｄｉｎｇ  ｂｉｔのサイズが３つのＬＣＧのＢＳＲを報告できる程度になるが、第１ＬＣＧ集合が４つのＬＣＧを含み、つまりｐａｄｄｉｎｇ  ｂｉｔのサイズがｆｌｅｘｉｂｌｅ  ｌｏｎｇ  ＢＳＲフォーマットで４つのＬＣＧのＢＳＲを報告するために必要とする第２リソースのサイズより小さい場合、前記端末装置はｔｒｕｎｃａｔｅｄ  ＢＳＲフォーマットで前記第１ＬＣＧ集合内の一部のＬＣＧのＢＳＲを報告すると決定してもよい。ここで、前記第２リソースは前記第１ＬＣＧ集合内の各ＬＣＧのＢＳＲを報告するために用いたｆｌｅｘｉｂｌｅ  ｌｏｎｇ  ＢＳＲフォーマット＋該ｆｌｅｘｉｂｌｅ  ｌｏｎｇ  ＢＳＲフォーマットに対応するｓｕｂｈｅａｄｅｒの占有したリソースである。
【００５９】
又は、ｐａｄｄｉｎｇ  ｂｉｔのサイズがｆｌｅｘｉｂｌｅ  ｌｏｎｇ  ＢＳＲフォーマットで前記第１ＬＣＧ集合内の各ＬＣＧのＢＳＲを報告するために必要とする第２リソースのサイズ以上である場合、前記端末装置はｆｌｅｘｉｂｌｅ  ｌｏｎｇ  ＢＳＲフォーマットで前記第１ＬＣＧ集合内の各ＬＣＧのＢＳＲを報告すると決定してもよい。例えば、第１ＬＣＧ集合が４つのＬＣＧを含み、ｐａｄｄｉｎｇ  ｂｉｔのサイズが４つのＬＣＧを報告するために用いたｆｌｅｘｉｂｌｅ  ｌｏｎｇ  ＢＳＲフォーマット及び対応するｓｕｂｈｅａｄｅｒのサイズ以上である場合、前記端末装置はｆｌｅｘｉｂｌｅ  ｌｏｎｇ  ＢＳＲフォーマットで４つのＬＣＧのＢＳＲを報告してもよく、又は、第１ＬＣＧ集合が６つのＬＣＧを含み、ｐａｄｄｉｎｇ  ｂｉｔのサイズが６つのＬＣＧを報告するために用いたｆｌｅｘｉｂｌｅ  ｌｏｎｇ  ＢＳＲフォーマット及び対応するｓｕｂｈｅａｄｅｒのサイズ以上である場合、前記端末装置はｆｌｅｘｉｂｌｅ  ｌｏｎｇ  ＢＳＲフォーマットで６つのＬＣＧのＢＳＲを報告してもよい。つまり、ｐａｄｄｉｎｇ  ｂｉｔのサイズが第１ＬＣＧ集合内の各ＬＣＧのＢＳＲを報告できる程度になる場合、前記端末装置はｆｌｅｘｉｂｌｅ  ｌｏｎｇ  ＢＳＲフォーマットで前記第１ＬＣＧ集合内の各ＬＣＧのＢＳＲを報告してもよい。
【００６０】
従って、本願の実施例の情報伝送方法によれば、前記端末装置は第１論理チャネルグループ集合及びパディングビットのサイズに基づき、どのＢＳＲフォーマットを用いるかを決定することができ、従って、ＭＡＣ  ＰＤＵのパディングビットのサイズを最大限に利用することができ、リソース利用率の向上に役立つ。
【００６１】
好ましくは、いくつかの実施例では、Ｓ２２０は、
前記ターゲットＢＳＲフォーマットを短縮ＢＳＲフォーマットとして決定した場合、前記端末装置が優先度の高い論理チャネルに対応するＬＣＧのＢＳＲを優先的に報告することを含んでもよい。
【００６２】
該実施例では、第１ＬＣＧ集合に含まれるＬＣＧの個数が１より大きいが、短縮ＢＳＲフォーマットで各ＬＣＧのＢＳＲを報告できない場合、前記端末装置は前記第１ＬＣＧ集合内の優先度のより高い論理チャネルに対応するＬＣＧのＢＳＲを優先的に報告してもよい。
【００６３】
状況２
前記少なくとも３つのＢＳＲフォーマットは、
ショートＢＳＲフォーマット、短縮ＢＳＲフォーマット、フレキシブル長ＢＳＲフォーマット及びロングＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが２個目の数範囲内のＬＣＧのＢＳＲを報告することに用いられ、前記２個目の数範囲の下限が１より大きく、前記２個目の数範囲の上限が第１値より小さく、前記ロングＢＳＲフォーマットで報告できるＢＳＲの個数が前記第１値である。
【００６４】
好ましくは、該実施例では、前記第１値が８であり、前記２個目の数範囲の下限が２であり、前記２個目の数範囲の上限が７であり、又は、前記第１値がより大きな値又はより小さな値であってもよく、前記２個目の数範囲の上下限が第１値の変化によって調整されてもよく、本願の実施例はこれを制限しない。
【００６５】
以下、第１値が８であり、つまり複数のＬＣＧが８つのＬＣＧを含む場合を例として説明し、この場合、ｌｏｎｇ  ＢＳＲフォーマットが８つのＬＣＧのＢＳＲを報告することに用いられ、ｆｌｅｘｉｂｌｅ  ＢＳＲフォーマットが２つ乃至７つのＬＣＧのＢＳＲを報告することに用いられる。
【００６６】
一実施例として、前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式が通常ＢＳＲ又は定期的ＢＳＲであり、しかも前記第１ＬＣＧ集合に含まれるＬＣＧの個数が１である場合、前記端末装置が前記ターゲットＢＳＲフォーマットをショートＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記１個目の数範囲に属する場合、前記端末装置が前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記第１値である場合、前記端末装置が前記ターゲットＢＳＲフォーマットをロングＢＳＲフォーマットとして決定することを含む。
【００６７】
つまり、前記端末装置は、第１ＬＣＧ集合に含まれるＬＣＧの個数が１である場合、ｓｈｏｒｔ  ＢＳＲフォーマットを用いると決定し、第１ＬＣＧ集合に含まれるＬＣＧの個数が３であり、つまり１個目の数範囲にある場合、ｆｌｅｘｉｂｌｅ  ＢＳＲフォーマットで３つのＬＣＧのＢＳＲを報告すると決定し、又は、第１ＬＣＧ集合に含まれるＬＣＧの個数が８である場合、ｌｏｎｇ  ＢＳＲフォーマットで該８つのＬＣＧのＢＳＲを報告すると決定してもよい。
【００６８】
他の実施例として、前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式がパディングＢＳＲである場合、前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することを含む。
【００６９】
従って、本願の実施例の情報伝送方法によれば、ＢＳＲのトリガー方式がｐａｄｄｉｎｇ  ＢＳＲである場合、前記端末装置は伝送待ちデータが存在する第１ＬＣＧ集合及びアップリンク許可リソースのサイズに基づき、前記ターゲットＢＳＲフォーマットを決定することができ、リソース利用率の向上に役立つ。
【００７０】
１つの具体的な実施例では、前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することは、
前記端末装置が前記第１ＬＣＧ集合に含まれるＬＣＧの個数及び前記アップリンク許可リソースにおけるＭＡＣ  ＰＤＵのパディングビットのサイズに基づき、前記少なくとも３つのＢＳＲフォーマットから前記ターゲットＢＳＲフォーマットを決定することを含む。
【００７１】
例えば、前記端末装置はアップリンク許可リソースのサイズが第１ＬＣＧ集合内の各ＬＣＧのＢＳＲを報告できる程度になる場合、前記ターゲットＢＳＲフォーマットで報告できるＬＣＧの個数が前記第１ＬＣＧ集合に含まれるＬＣＧの個数以上であると決定してもよく、又は、前記アップリンク許可リソースのサイズが第１ＬＣＧ集合内の各ＬＣＧのＢＳＲを報告できる程度にならない場合、前記端末装置は前記第１ＬＣＧ集合内の一部のＬＣＧのＢＳＲのみを報告してもよい。
【００７２】
好ましくは、前記端末装置が前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することは、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記端末装置が前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記端末装置が前記ターゲットＢＳＲフォーマットを短縮ＢＳＲフォーマットとして決定し、又は
前記ＭＡＣ  ＰＤＵのパディングビットのサイズがフレキシブル長ＢＳＲフォーマットでＢＳＲを報告するために必要とする第２リソースのサイズ以上であり、しかも前記第１ＬＣＧ集合に含まれるＬＣＧの個数が前記２個目の数範囲に属する場合、前記端末装置が前記ターゲットＢＳＲフォーマットをフレキシブル長ＢＳＲフォーマットとして決定し、又は
前記ＭＡＣ  ＰＤＵのパディングビットのサイズがロングＢＳＲフォーマットでＢＳＲを報告するために必要とするリソースのサイズ以上であり、しかも前記第１ＬＣＧ集合に含まれるＬＣＧの個数が前記第１値である場合、前記端末装置が前記ターゲットＢＳＲフォーマットをロングＢＳＲフォーマットとして決定することを含む。
【００７３】
例えば、前記第１ＬＣＧ集合に含まれるＬＣＧの個数が１であって、ｐａｄｄｉｎｇ  ｂｉｔのサイズがｓｈｏｒｔ  ＢＳＲフォーマットで報告するために必要とする第１リソースのサイズ以上である場合、前記端末装置はショートＢＳＲフォーマットで報告すると決定してもよく、ここで、前記第１リソースはｓｈｏｒｔ  ＢＳＲフォーマット＋該ｓｈｏｒｔ  ＢＳＲフォーマットに対応するｓｕｂｈｅａｄｅｒの占有したリソースである。
【００７４】
更に、例えば、ｐａｄｄｉｎｇ  ｂｉｔのサイズが３つのＬＣＧのＢＳＲを報告できる程度になるが、第１ＬＣＧ集合が４つのＬＣＧを含み、つまりｐａｄｄｉｎｇ  ｂｉｔのサイズがｆｌｅｘｉｂｌｅ  ＢＳＲフォーマットで４つのＬＣＧのＢＳＲを報告するために必要とする第２リソースのサイズより小さい場合、前記第２リソースは前記第１ＬＣＧ集合内の各ＬＣＧのＢＳＲを報告するために用いたｆｌｅｘｉｂｌｅ  ＢＳＲフォーマット＋該ｆｌｅｘｉｂｌｅ  ＢＳＲフォーマットに対応するｓｕｂｈｅａｄｅｒの占有したリソースである。
【００７５】
更に、例えば、ｐａｄｄｉｎｇ  ｂｉｔのサイズがｆｌｅｘｉｂｌｅ  ＢＳＲフォーマットで前記第１ＬＣＧ集合内の各ＬＣＧのＢＳＲを報告するために必要とする第２リソースのサイズ以上であって、前記第１ＬＣＧ集合に含まれるＬＣＧの個数が８より小さい場合、前記端末装置はｆｌｅｘｉｂｌｅ  ＢＳＲフォーマットで前記第１ＬＣＧ集合内の各ＬＣＧのＢＳＲを報告すると決定してもよい。例えば、第１ＬＣＧ集合が４つのＬＣＧを含み、ｐａｄｄｉｎｇ  ｂｉｔのサイズが４つのＬＣＧを報告するためのｆｌｅｘｉｂｌｅ  ＢＳＲフォーマット及び対応するｓｕｂｈｅａｄｅｒのサイズ以上である場合、前記端末装置はｆｌｅｘｉｂｌｅ  ＢＳＲフォーマットで４つのＬＣＧのＢＳＲを報告してもよく、又は、第１ＬＣＧ集合が６つのＬＣＧを含み、ｐａｄｄｉｎｇ  ｂｉｔのサイズが６つのＬＣＧを報告するためのｆｌｅｘｉｂｌｅ  ＢＳＲフォーマット及び対応するｓｕｂｈｅａｄｅｒのサイズ以上である場合、前記端末装置はｆｌｅｘｉｂｌｅ  ＢＳＲフォーマットで６つのＬＣＧのＢＳＲを報告してもよい。つまり、ｐａｄｄｉｎｇ  ｂｉｔのサイズが第１ＬＣＧ集合内の各ＬＣＧのＢＳＲを報告できる程度になって、第１ＬＣＧ集合に含まれるＬＣＧの個数が２個目の数範囲にある場合、前記端末装置はｆｌｅｘｉｂｌｅ  ＢＳＲフォーマットで前記第１ＬＣＧ集合内の各ＬＣＧのＢＳＲを報告してもよい。
【００７６】
更に、例えば、ｐａｄｄｉｎｇ  ｂｉｔのサイズがロングＢＳＲフォーマットでＢＳＲを報告するために必要とするリソースのサイズ以上であって、前記第１ＬＣＧ集合に含まれるＬＣＧの個数が８である場合、前記端末装置はｌｏｎｇ  ＢＳＲフォーマットで前記第１ＬＣＧ集合内の各ＬＣＧのＢＳＲを報告してもよい。ｌｏｎｇ  ＢＳＲフォーマットでＢＳＲを報告するために必要とするリソースはｌｏｎｇ  ＢＳＲフォーマット＋該ｌｏｎｇ  ＢＳＲフォーマットに対応するｓｕｂｈｅａｄｅｒのサイズであり、つまり、ｐａｄｄｉｎｇ  ｂｉｔが８つのＬＣＧのＢＳＲを報告できる程度になって、第１ＬＣＧ集合が８つのＬＣＧを含む場合、前記端末装置はｌｏｎｇ  ＢＳＲフォーマットで前記第１ＬＣＧ集合内の各ＬＣＧのＢＳＲを報告してもよい。
【００７７】
従って、本願の実施例の情報伝送方法によれば、ＢＳＲのトリガー方式がｐａｄｄｉｎｇ  ＢＳＲである場合、前記端末装置は第１ＬＣＧ集合に含まれるＬＣＧの個数及びパディングビットのサイズに基づき、どのＢＳＲフォーマットを用いるかを決定することができ、従って、ＭＡＣ  ＰＤＵのパディングビットのサイズを最大限に利用することができ、リソース利用率の向上に役立つ。
【００７８】
好ましくは、いくつかの実施例では、Ｓ２２０は、
前記ターゲットＢＳＲフォーマットを短縮ＢＳＲフォーマットとして決定し、且つ前記第１ＬＣＧ集合に含まれるＬＣＧの個数が１より大きい場合、前記端末装置が優先度の高い論理チャネルに対応するＬＣＧのＢＳＲを優先的に報告することを含んでもよい。
【００７９】
該実施例では、第１ＬＣＧ集合に含まれるＬＣＧの個数が１より大きいが、短縮ＢＳＲフォーマットで各ＬＣＧのＢＳＲを報告できない場合、前記端末装置は前記第１ＬＣＧ集合内の優先度のより高い論理チャネルに対応するＬＣＧのＢＳＲを優先的に報告してもよい。
【００８０】
以上は図２を参照しながら本願の方法実施例を詳しく説明したが、以下に図３及び図４を参照しながら本願の装置実施例を詳しく説明し、理解すべきこととして、装置実施例は方法実施例に対応し、類似の説明は方法実施例を参照してもよい。
【００８１】
図３は本願の実施例に係る情報伝送装置のブロック図である。図３における装置３００は、
複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定するように構成され、前記第１ＬＣＧ集合が少なくとも１つのＬＣＧを含む決定モジュール３１０と、
前記ターゲットＢＳＲフォーマットで前記第１ＬＣＧ集合内の一部又は全部のＬＣＧのＢＳＲを報告するように構成される通信モジュール３２０と、を備える。
【００８２】
好ましくは、いくつかの実施例では、前記決定モジュール３１０は、具体的に、
ＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定するように構成される。
【００８３】
好ましくは、いくつかの実施例では、前記少なくとも３つのＢＳＲフォーマットは、
ショートＢＳＲフォーマット、短縮ＢＳＲフォーマット及びフレキシブル長ＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが１個目の数範囲内のＬＣＧのＢＳＲを報告することに用いられ、前記１個目の数範囲の下限が１である。
【００８４】
好ましくは、いくつかの実施例では、前記１個目の数範囲の上限が８である。
【００８５】
好ましくは、いくつかの実施例では、前記決定モジュール３１０は、更に、
ＢＳＲのトリガー方式が通常ＢＳＲ又は定期的ＢＳＲであり、しかも前記第１ＬＣＧ集合に含まれるＬＣＧの個数が１より大きい場合、前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が１である場合、前記ターゲットＢＳＲフォーマットをショートＢＳＲフォーマットとして決定するように構成される。
【００８６】
好ましくは、いくつかの実施例では、前記決定モジュール３１０は、更に、
ＢＳＲのトリガー方式がパディングＢＳＲである場合、前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定するように構成される。
【００８７】
好ましくは、いくつかの実施例では、前記決定モジュール３１０は、具体的に、
前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定するように構成される。
【００８８】
好ましくは、いくつかの実施例では、前記決定モジュール３１０は、具体的に、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記ターゲットＢＳＲフォーマットを短縮ＢＳＲフォーマットとして決定し、又は
前記ＭＡＣ  ＰＤＵのパディングビットのサイズが前記第２リソースのサイズ以上である場合、前記ターゲットＢＳＲフォーマットをフレキシブル長ＢＳＲフォーマットとして決定するように構成される。
【００８９】
好ましくは、いくつかの実施例では、前記通信モジュール３２０は、具体的に、
前記ターゲットＢＳＲフォーマットを短縮ＢＳＲフォーマットとして決定した場合、優先度の高い論理チャネルに対応するＬＣＧのＢＳＲを優先的に報告するように構成される。
【００９０】
好ましくは、いくつかの実施例では、前記少なくとも３つのＢＳＲフォーマットは、
ショートＢＳＲフォーマット、短縮ＢＳＲフォーマット、フレキシブル長ＢＳＲフォーマット及びロングＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが２個目の数範囲内のＬＣＧのＢＳＲを報告することに用いられ、前記２個目の数範囲の下限が１より大きく、前記２個目の数範囲の上限が第１値より小さく、前記ロングＢＳＲフォーマットで報告できるＢＳＲの個数が前記第１値である。
【００９１】
好ましくは、いくつかの実施例では、前記第１値が８であり、前記２個目の数範囲の下限が２であり、前記第２フォーマット範囲の上限が７である。
【００９２】
好ましくは、いくつかの実施例では、前記決定モジュール３１０は、更に、
ＢＳＲのトリガー方式が通常ＢＳＲ又は定期的ＢＳＲであり、しかも前記第１ＬＣＧ集合に含まれるＬＣＧの個数が１である場合、前記ターゲットＢＳＲフォーマットをショートＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記１個目の数範囲に属する場合、前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が前記第１値である場合、前記端末装置が前記ターゲットＢＳＲフォーマットをロングＢＳＲフォーマットとして決定するように構成される。
【００９３】
好ましくは、いくつかの実施例では、前記決定モジュール３１０は、更に、
ＢＳＲのトリガー方式がパディングＢＳＲである場合、前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定するように構成される。
【００９４】
好ましくは、いくつかの実施例では、前記決定モジュール３１０は、具体的に、
前記第１ＬＣＧ集合に含まれるＬＣＧの個数及び前記アップリンク許可リソースにおけるＭＡＣ  ＰＤＵのパディングビットのサイズに基づき、前記少なくとも３つのＢＳＲフォーマットから前記ターゲットＢＳＲフォーマットを決定するように構成される。
【００９５】
好ましくは、いくつかの実施例では、前記決定モジュール３１０は、具体的に、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記ターゲットＢＳＲフォーマットを短縮ＢＳＲフォーマットとして決定し、又は
前記ＭＡＣ  ＰＤＵのパディングビットのサイズがフレキシブル長ＢＳＲフォーマットでＢＳＲを報告するために必要とする第２リソースのサイズ以上であり、しかも前記第１ＬＣＧ集合に含まれるＬＣＧの個数が前記２個目の数範囲に属する場合、前記ターゲットＢＳＲフォーマットをフレキシブル長ＢＳＲフォーマットとして決定し、又は
前記ＭＡＣ  ＰＤＵのパディングビットのサイズがロングＢＳＲフォーマットでＢＳＲを報告するために必要とするリソースのサイズ以上であり、しかも前記第１ＬＣＧ集合に含まれるＬＣＧの個数が前記第１値である場合、前記ターゲットＢＳＲフォーマットをロングＢＳＲフォーマットとして決定するように構成される。
【００９６】
好ましくは、いくつかの実施例では、前記通信モジュール３２０は、具体的に、
前記ターゲットＢＳＲフォーマットを短縮ＢＳＲフォーマットとして決定し、且つ前記第１ＬＣＧ集合に含まれるＬＣＧの個数が１より大きい場合、優先度の高い論理チャネルに対応するＬＣＧのＢＳＲを優先的に報告するように構成される。
【００９７】
具体的に、該装置３００は上記方法２００において説明された端末装置に対応してもよく（例えば、配置されてもよく又はそれものが上記方法２００において説明された端末装置であり）、且つ、該装置３００における各モジュール又はユニットはそれぞれ上記方法２００における端末装置の実行する各動作又は処理過程を実行することに用いられ、ここで、重複を避けるため、その詳細な説明は省略する。
【００９８】
図４に示すように、本願の実施例は更に情報伝送装置４００を提供し、前記装置４００は図２における方法２００に対応する端末装置の内容を実行することのできる図３における装置３００であってもよい。前記装置４００は入力インターフェース４１０、出力インターフェース４２０、プロセッサ４３０及びメモリ４４０を備え、前記入力インターフェース４１０、出力インターフェース４２０、プロセッサ４３０及びメモリ４４０はバスシステムによって接続されてもよい。前記メモリ４４０はプログラム、命令又はコードを記憶することに用いられる。入力インターフェース４１０が信号を受信し、出力インターフェース４２０が信号を送信するように制御し及び上記方法実施例における操作を行うよう、前記プロセッサ４３０は前記メモリ４４０におけるプログラム、命令又はコードを実行することに用いられる。
【００９９】
理解すべきこととして、本願の実施例では、前記プロセッサ４３０は中央処理装置（ＣＰＵ：Ｃｅｎｔｒａｌ  Ｐｒｏｃｅｓｓｉｎｇ  Ｕｎｉｔ）であってもよく、前記プロセッサ４３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は前記プロセッサはいかなる通常のプロセッサ等であってもよい。
【０１００】
前記メモリ４４０は読み出し専用メモリ及びランダムアクセスメモリを含んでもよく、且つプロセッサ４３０に命令及びデータを提供する。メモリ４４０の一部は更に不揮発性ランダムアクセスメモリを含んでもよい。例えば、メモリ４４０に更に装置タイプの情報が記憶されてもよい。
【０１０１】
実現過程において、上記方法の各内容はプロセッサ４３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体はメモリ４４０に位置し、プロセッサ４３０はメモリ４４０における情報を読み取り、そのハードウェアと組み合わせて上記方法の内容を完了する。重複を避けるため、ここで詳細な説明は省略する。
【０１０２】
１つの具体的な実施形態では、図３における装置３００に含まれる決定モジュール３１０は図４におけるプロセッサ４３０により実現されてもよく、図３における装置３００に含まれる通信モジュール３２０は図４における前記入力インターフェース４１０及び前記出力インターフェース４２０により実現されてもよい。
【０１０３】
本願の実施例は更にコンピュータ可読記憶媒体を提供し、該コンピュータ可読記憶媒体に１つ又は複数のプログラムが記憶され、該１つ又は複数のプログラムが命令を含み、該命令が複数のアプリケーションプログラムを含むポータブル電子機器により実行されるとき、該ポータブル電子機器が図２に示される実施例の方法を実行することができる。
【０１０４】
本願の実施例は更にコンピュータプログラムを提供し、該コンピュータプログラムが命令を含み、該コンピュータプログラムがコンピュータにより実行されるとき、コンピュータが図２に示される実施例の方法の対応プロセスを実行することができる。
【０１０５】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１０６】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０１０７】
本願に係るいくつかの実施例において、理解すべきこととして、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１０８】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１０９】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１１０】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は前記技術案の一部はソフトウェア製品の形式で具現されてもよく、前記コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１１１】
以上の説明は本願の具体的な実施形態であって、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021500775.tif 000003
【図２】
2021500775.tif 000004
【図３】
2021500775.tif 000005
【図４】
2021500775.tif 000006
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
情報伝送方法であって、
端末装置が、複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定し、前記第１ＬＣＧ集合が少なくとも１つのＬＣＧを含むことと、
前記端末装置が、前記ターゲットＢＳＲフォーマットで前記第１ＬＣＧ集合内の一部又は全部のＬＣＧのＢＳＲを報告することと、を含むことを特徴とする、前記情報伝送方法。
【請求項２】
前記端末装置が複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定することは、
前記端末装置が、ＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することを含むことを特徴とする
請求項１に記載の方法。
【請求項３】
前記少なくとも３つのＢＳＲフォーマットは、
ショートＢＳＲフォーマット、短縮ＢＳＲフォーマット及びフレキシブル長ＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが１個目の数範囲内のＬＣＧのＢＳＲを報告することに用いられ、前記１個目の数範囲の下限が１であることを特徴とする
請求項２に記載の方法。
【請求項４】
前記１個目の数範囲の上限が８であることを特徴とする
請求項３に記載の方法。
【請求項５】
前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式が通常ＢＳＲ又は定期的ＢＳＲであり、しかも前記第１ＬＣＧ集合に含まれるＬＣＧの個数が１より大きい場合、前記端末装置が、前記ターゲットＢＳＲフォーマットをフレキシブル長ＢＳＲフォーマットとして決定し、又は
ＢＳＲのトリガー方式が通常ＢＳＲ又は定期的ＢＳＲであり、しかも前記第１ＬＣＧ集合に含まれるＬＣＧの個数が１である場合、前記端末装置が、前記ターゲットＢＳＲフォーマットをショートＢＳＲフォーマットとして決定することを含むことを特徴とする
請求項３又は４に記載の方法。
【請求項６】
前記端末装置がＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定することは、
ＢＳＲのトリガー方式がパディングＢＳＲである場合、前記端末装置が、前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することを含むことを特徴とする
請求項３又は４に記載の方法。
【請求項７】
前記端末装置が前記第１ＬＣＧ集合に含まれるＬＣＧの個数及びアップリンク許可リソースのサイズに基づき、前記少なくとも３つのＢＳＲフォーマットから前記ターゲットＢＳＲフォーマットを決定することは、
前記端末装置が、前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することを含むことを特徴とする
請求項６に記載の方法。
【請求項８】
前記端末装置が前記第１ＬＣＧ集合に含まれるＬＣＧの個数及び前記アップリンク許可リソースにおける媒体アクセス制御（ＭＡＣ）プロトコルデータユニット（ＰＤＵ）のパディングビットのサイズに基づき、前記少なくとも３つのＢＳＲフォーマットから前記ターゲットＢＳＲフォーマットを決定することは、
前記ＭＡＣ  ＰＤＵのパディングビットのサイズがショートＢＳＲフォーマットで報告するために必要とする第１リソースのサイズ以上であり、しかも前記第１ＬＣＧ集合に含まれるＬＣＧの個数が１である場合、前記端末装置が、前記ターゲットＢＳＲフォーマットをショートＢＳＲフォーマットとして決定し、又は
前記ＭＡＣ  ＰＤＵのパディングビットのサイズが前記第１リソースのサイズ以上であり、しかもフレキシブル長ＢＳＲフォーマットで前記第１ＬＣＧ集合内の各ＬＣＧのＢＳＲを報告するために必要とする第２リソースのサイズより小さく、且つ前記第１ＬＣＧ集合に含まれるＬＣＧの個数が１より大きい場合、前記端末装置が、前記ターゲットＢＳＲフォーマットを短縮ＢＳＲフォーマットとして決定し、又は
前記ＭＡＣ  ＰＤＵのパディングビットのサイズが前記第２リソースのサイズ以上である場合、前記端末装置が、前記ターゲットＢＳＲフォーマットをフレキシブル長ＢＳＲフォーマットとして決定することを含むことを特徴とする
請求項７に記載の方法。
【請求項９】
前記第１リソースは、短縮ＢＳＲ、及び前記短縮ＢＳＲに対応するサブヘッダが占有したリソースであり、
前記第２リソースは、前記第１ＬＣＧ集合内の各ＬＣＧのＢＳＲを報告するために用いたフレキシブル長ＢＳＲ、及び前記フレキシブル長ＢＳＲに対応するサブヘッダが占有したリソースである、
請求項８に記載の方法。
【請求項１０】
前記端末装置が前記ターゲットＢＳＲフォーマットで前記第１ＬＣＧ集合内の一部又は全部のＬＣＧのＢＳＲを報告することは、
前記ターゲットＢＳＲフォーマットを短縮ＢＳＲフォーマットとして決定した場合、前記端末装置が、優先度の高い論理チャネルに対応するＬＣＧのＢＳＲを優先的に報告することを含むことを特徴とする
請求項５又は８に記載の方法。
【請求項１１】
前記少なくとも３つのＢＳＲフォーマットは、
ショートＢＳＲフォーマット、短縮ＢＳＲフォーマット、フレキシブル長ＢＳＲフォーマット及びロングＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが２個目の数範囲内のＬＣＧのＢＳＲを報告することに用いられ、前記２個目の数範囲の下限が１より大きく、前記２個目の数範囲の上限が第１値より小さく、前記ロングＢＳＲフォーマットで報告できるＢＳＲの個数が前記第１値であることを特徴とする
請求項１に記載の方法。
【請求項１２】
前記第１値が８であり、前記２個目の数範囲の下限が２であり、前記第２フォーマット範囲の上限が７であることを特徴とする
請求項１１に記載の方法。
【請求項１３】
情報伝送装置であって、
複数の論理チャネルグループ（ＬＣＧ）内の伝送待ちデータが存在する第１ＬＣＧ集合に基づき、少なくとも３つのバッファ状態報告（ＢＳＲ）フォーマットからターゲットＢＳＲフォーマットを決定するように構成され、前記第１ＬＣＧ集合が少なくとも１つのＬＣＧを含む決定モジュールと、
前記ターゲットＢＳＲフォーマットで前記第１ＬＣＧ集合内の一部又は全部のＬＣＧのＢＳＲを報告するように構成される通信モジュールと、を備えることを特徴とする、前記情報伝送装置。
【請求項１４】
前記決定モジュールは、具体的に、
ＢＳＲのトリガー方式及び前記第１ＬＣＧ集合に含まれるＬＣＧの個数に基づき、前記少なくとも３つのＢＳＲフォーマットから前記ターゲットＢＳＲフォーマットを決定するように構成されることを特徴とする
請求項１３に記載の装置。
【請求項１５】
前記少なくとも３つのＢＳＲフォーマットは、
ショートＢＳＲフォーマット、短縮ＢＳＲフォーマット及びフレキシブル長ＢＳＲフォーマットを含み、
前記ショートＢＳＲフォーマットが１つのＬＣＧのＢＳＲを報告することに用いられ、前記短縮ＢＳＲフォーマットが１つのＬＣＧのＢＳＲを報告することに用いられ、前記フレキシブル長ＢＳＲフォーマットが１個目の数範囲内のＬＣＧのＢＳＲを報告することに用いられ、前記１個目の数範囲の下限が１であることを特徴とする
請求項１４に記載の装置。
【国際調査報告】
2021500775.tif 000007
2021500775.tif 000008
2021500775.tif 000009
2021500775.tif 000010